(57)【要約】【課題】  弾の性能（弾丸の飛翔力等）を犠牲にすることなく、薬室の拡大を防止することができる構造を有するライフル銃を提供する。【解決手段】  銃身１０と薬室形成部２０とが別体とし、薬室形成部２０を、銃身１０を形成する金属よりも硬い金属で形成した。薬室形成部２０と銃身１０とにおけるロックウェル硬さの差は、１０〜５０ＨＲＣとすると好ましい。薬室形成部２０のロックウェル硬さは、３５ＨＲＣ以上とすると好ましい。銃身１０のロックウェル硬さは、３０ＨＲＣ以下とすると好ましい。薬室形成部２０における、薬莢１０１の外周面を覆う部分の厚さＴは、５ｍｍ以上とすると好ましい。銃腔の後端区間以外の区間（銃腔１２）を銃身１０に設け、銃腔の後端区間（銃腔２３）を薬室形成部２０の前端側に設けることも好ましい。【選択図】図２
2018112373.tif 000002
【特許請求の範囲】
【請求項１】
銃身と薬室形成部とが別体とされ、
薬室形成部が、銃身を形成する金属よりも硬い金属で形成された
ことを特徴とするライフル銃。
【請求項２】
薬室形成部と銃身とにおけるロックウェル硬さの差が、１０〜５０ＨＲＣとされた請求項１記載のライフル銃。
【請求項３】
薬室形成部のロックウェル硬さが、３５ＨＲＣ以上とされた請求項１又は２記載のライフル銃。
【請求項４】
銃身のロックウェル硬さが、３０ＨＲＣ以下とされた請求項１〜３いずれか記載のライフル銃。
【請求項５】
薬室形成部における、薬莢の外周面を覆う部分の厚さが、５ｍｍ以上とされた請求項１〜４いずれか記載のライフル銃。
【請求項６】
銃腔の後端区間以外の区間が、銃身に設けられ、
銃腔の後端区間が、薬室形成部の前端側に設けられた
請求項１〜５いずれか記載のライフル銃。
【発明の詳細な説明】
【技術分野】
【０００１】
本発明は、ライフル銃に関する。
【背景技術】
【０００２】
ライフル銃としては、例えば、特許文献１に記載のものが知られており、ライフル銃の薬室（チャンバー）に込める弾（カートリッジ）としては、例えば、特許文献２に記載されたもののように、薬莢（カートリッジケース）と、薬莢の後端部に設けられた雷管（プライマー）と、薬莢の前端部に取り付けられた弾丸（ブリット）と、薬莢内に詰められた火薬（パウダー）とで構成されたものが知られている。この種の弾は、その雷管部分が撃針（ファイアリングピン）で打撃されたことを契機として、薬莢内の火薬が爆発し、薬莢内の圧力が高められることで、弾丸が発射されるようになっている。
【０００３】
ところが、この種の弾では、火薬が爆発した際に薬莢内に生ずる圧力によって、薬莢が膨張（拡大）しようとするため、その弾を打ったライフル銃の薬室が薬莢に押し広げられて拡大することがある。薬室が拡大したライフル銃で弾を打つと、その弾の薬莢が膨張して、薬莢に割れ等の破損が生じる虞がある。競技目的でライフル銃を使用する人は、薬莢を再利用するところ、薬莢が破損すると、薬莢を再利用することができなくなってしまう。このため、薬室の拡大を防止する対策が重要となっている。
【０００４】
薬室の拡大を防止する対策としては、真鍮等の破損しにくい金属で薬莢を形成することが挙げられる。しかし、薬莢内に生じる圧力は非常に高いため、薬莢を真鍮で形成した程度では、薬室の拡大を防止することができない。また、薬室の拡大を防止する対策としては、薬莢内に収める火薬の爆発力を抑える対策も挙げられる。しかし、この対策では、爆発力の強い火薬を使用することができず、弾丸の飛翔力が犠牲になってしまうという問題がある。
【先行技術文献】
【特許文献】
【０００５】
【特許文献１】特開２００１−３３０３９６号公報
【特許文献２】特表２００４−５００５３５号公報
【発明の概要】
【発明が解決しようとする課題】
【０００６】
本発明は、上記課題を解決するために為されたものであり、弾の性能（弾丸の飛翔力等）を犠牲にすることなく、薬室の拡大を防止することができる構造を有するライフル銃を提供するものである。
【課題を解決するための手段】
【０００７】
上記課題を解決するために、本発明者は、ライフル銃における薬室を形成する部分（以下「薬室形成部」とする。）を硬い金属で形成することを考えた。しかし、従来のライフル銃は、特許文献１の図１に示されるように、薬室形成部が銃身（バレル）の後端側に一体的に設けられ、薬室形成部と銃身は、同じ金属材料で形成される。このため、従来のライフル銃において、薬室形成部を硬い金属で形成しようとすると、銃身もそれと同じ硬い金属で形成する必要がある。ところが、銃身を硬い金属で形成すると、銃身が折れやすくなることに加えて、旋条（ライフリング）と呼ばれる螺旋状突起を銃身の内部（銃腔（ボア））に長区間に亘って加工することができなくなる。
【０００８】
そこで、本発明者は、
銃身と薬室形成部とが別体とされ、
薬室形成部が、銃身を形成する金属よりも硬い金属で形成された
ことを特徴とするライフル銃
を発明するに至った。
【０００９】
このように、銃身と薬室形成部とを別体とすることにより、銃身を形成する金属の硬さを、銃身に折れが生じず、且つ、旋条を有する銃腔を長区間に亘って加工できる程度に抑えながらも、薬室形成部を硬くすることができる。したがって、弾に爆発力の強い火薬を使用したり、弾の火薬量を増やしたりしても、薬室の拡大を抑えることが可能になる。
【００１０】
本発明のライフル銃において、薬室形成部は、銃身よりも硬ければ、その具体的な硬さは、特に限定されない。しかし、薬室形成部の硬さが銃身と同程度であると、銃身と薬室形成部とを別体とする意義が低下する。このため、薬室形成部と銃身とにおける硬さの差（ロックウェル硬さの差。以下同じ。）は、１０ＨＲＣ以上とすると好ましく、１５ＨＲＣ以上とするとより好ましく、２０ＨＲＣ以上とするとさらに好ましい。薬室形成部と銃身とにおけるロックウェル硬さの差に、特に上限はないが、通常、５０ＨＲＣ以下とされる。
【００１１】
このとき、薬室形成部のロックウェル硬さは、３５ＨＲＣ以上とすると好ましく、４０ＨＲＣ以上とするとより好ましく、４５ＨＲＣ以上とするとさらに好ましい。薬室形成部のロックウェル硬さに、特に上限はないが、現実的には、５０〜６０ＨＲＣ程度までとされる。
【００１２】
またこのとき、銃身のロックウェル硬さは、通常、３０ＨＲＣ以下とされる。銃身を硬くしすぎると、上述したように、銃身が折れやすくなる虞や、銃身に旋条を加工しにくくなる虞があるからである。ただし、銃身のロックウェル硬さは、銃身の耐摩耗性等を確保できる硬さ以上（例えばショア硬さで２５ＨＣ以上）とされる。
【００１３】
本発明のライフル銃において、薬室形成部における、薬莢の外周面を覆う部分を薄くしすぎると、薬室形成部を硬い金属で形成したとしても、薬莢の膨張を薬室形成部で抑え込むことができなくなる虞がある。このため、薬室形成部における、薬莢の外周面を覆う部分の厚さ（場所によって当該部分の厚さが異なる場合には、その最小値。以下同じ。）は、５ｍｍ以上とすると好ましい。薬室形成部における、薬莢の外周面を覆う部分の厚さは、８ｍｍ以上とするとより好ましく、１０ｍｍ以上とするとさらに好ましい。薬室形成部における、薬莢の外周面を覆う部分の厚さに、特に上限はないが、通常、４０〜５０ｍｍ程度までである。
【００１４】
本発明のライフル銃においては、銃腔の後端区間以外の区間を、銃身に設け、銃腔の後端区間を、薬室形成部の前端側に設けることも好ましい。既に述べたように、ライフル銃の銃腔には、旋条と呼ばれる螺旋状突起が設けられるところ、短い区間であれば、硬い金属からなる薬室形成部に対しても、当該金属の焼き入れ前に加工する等すれば、その旋条を薬室形成部に加工することが可能である。このように、旋条が設けられた銃腔の一部（後端区間）を硬い金属からなる薬室形成部に設けることにより、銃身における銃腔の旋条の摩耗を抑えることが可能になる。銃腔の旋条は、その後端区間が最も摩耗しやすいところ、その後端区間を摩耗しにくい硬い金属で形成することができるからである。
【発明の効果】
【００１５】
以上のように、本発明によって、弾の性能（弾丸の飛翔力等）を犠牲にすることなく、薬室の拡大を防止することができる構造を有するライフル銃を提供することが可能になる。
【図面の簡単な説明】
【００１６】
【図１】ライフル銃の全体を示した側面図である。
【図２】図１のライフル銃における薬室形成部周辺の内部構造を示した断面図である。
【発明を実施するための形態】
【００１７】
図１は、ライフル銃の全体を示した側面図である。図２は、図１のライフル銃における薬室形成部２０の周辺の内部構造を示した断面図である。本実施態様のライフル銃は、図１に示すように、銃身（バレル）１０と、薬室形成部２０と、機関部（レシーバー）３０と、用心金（トリガーガード）４０と、銃把（グリップ）５０と、銃床（ストック）６０とを備えたものとなっている。薬室形成部２０の内部には、図２に示すように、弾（カートリッジ）１００を込めるための薬室（チャンバー）２１が設けられている。機関部３０には、引金（トリガ）３１のほか、図示省略の逆鉤（シア）と、図示省略の撃鉄（ハンマ）と、図示省略のコイルスプリング（撃鉄付勢手段）と、遊底（ボルト）３２（図２）と、撃針（ファイアリングピン）３３（図２）とが設けられている。
【００１８】
このライフル銃は、
［１］引金３１（図１）を指で引く。
［２］逆鉤が動作し、撃鉄を係止していた逆鉤が撃鉄から外れる。
［３］撃鉄付勢手段の付勢力によって撃鉄が遊底３２（図２）内を前進する。
［４］撃鉄が撃針３３（図２）を後方から打撃する。
［５］撃針３３が遊底３２内を前進する。
［６］撃針３３の前端部が、弾１００（図２）における雷管１０４のカップ１０４ａの後面を打撃する。
［７］カップ１０４ａの前面側に塗布された起爆薬１０４ｂが、カップ１０４ａと発火金（アンビル）１０４ｃとで押圧されて発火する。
［８］薬莢１０１内の火薬１０２が爆発する。
［９］火薬１０２の爆発により、薬莢１０１内の圧力が増大し、弾丸１０３が発射される。
という手順及び流れで、弾丸１０３を発射するものとなっている。
【００１９】
既に述べたように、上記［８］，［９］における火薬１０２の爆発の際に、薬莢１０１内に生じる圧力によって薬室２１が拡大する虞がある。この点、本実施態様のライフル銃では、薬室２１に込められた弾１００の薬莢１０１の外周部を硬い金属で覆うことにより、上記［８］，「９」の際に薬室２１が拡大しないようにしている。
【００２０】
具体的には、図２に示すように、薬室２１を有する薬室形成部２０を、銃身１０とは別体とするとともに、薬室形成部２０を、銃身１０を形成する金属よりも硬い金属で形成している。銃身１０とは別体からなる薬室形成部２０を、銃身１０に対して固定する構造は、特に限定されない。本実施態様のライフル銃においては、薬室形成部２０の前端側に、その外周部にネジ溝が形成された螺合部２２を設けるとともに、銃身１０の後端部に、その内周部にネジ溝が形成された被螺合部１１を設けており、被螺合部１０ａに対して螺合部２０ａを螺合することにより、薬室形成部２１を銃身１０に対して固定するようにしている。機関部３０と薬室形成部２０との固定構造も、これと同様としている。
【００２１】
既に述べたように、薬室形成部２０を形成する金属のロックウェル硬さは、３５ＨＲＣ以上とすると好ましく、銃身１０を形成する金属のロックウェル硬さは、３０ＨＲＣ以下とすると好ましい。このため、薬室形成部２０を形成する金属の種類や、銃身１０を形成する金属の種類は、これらの条件を満たすものを選択すると好ましい。
【００２２】
本実施態様のライフル銃において、薬室形成部２０は、プレス機のダイスを形成するのに用いられる工具鋼（ダイス鋼）で形成している。工具鋼としては、ＳＫ等の炭素工具鋼や、ＳＫＴやＳＫＳ等の低合金工具鋼や、ＳＫＤ等の冷間ダイス鋼や熱間ダイス鋼や、ＳＫＨ等の高速度工具鋼（いわゆるハイス鋼。）等が例示される。これらの工具鋼のうち、冷間ダイス鋼や熱間ダイス鋼は、優れた硬さを発揮できるため、薬室形成部２０を形成するものとして最適である。本実施態様のライフル銃においては、大同特殊鋼株式会社製のＳＫＤ１１系の冷間ダイス鋼「ＤＣ５３」によって、薬室形成部２０を形成している。薬室形成部２０における、薬莢１０１の外周面を覆う部分の厚さＴ（図２）は、本実施態様のライフル銃において、約１２ｍｍとしている。
【００２３】
これに対し、銃身１０は、薬室形成部２０ほどの硬さは要求されないことに加えて、銃身１０を形成する金属を硬いものとしすぎると、銃身が折れやすくなる虞や、銃腔１２内に旋条１２ａを加工できなくなる虞がある。このため、銃身１０は、ステンレス鋼やクロムモリブデン鋼等、ある程度加工のしやすい硬さの金属によって形成すると好ましい。本実施態様のライフル銃においては、ニッケル（Ｎｉ）を含有しないクロム系のステンレス鋼によって、銃身１０を形成しており、銃身１０のロックウェル硬さは、約２０ＨＲＣとなっている。
【００２４】
このように、銃身１０には、旋条１２ａを有する銃腔１２が設けられるところ、本実施態様のライフル銃においては、図２に示すように、薬莢形成部２０にも、旋条２３ａを有する銃腔２３を設けている。換言すると、銃腔の後端区間以外の区間（銃腔１２）を、銃身１０に設けて、銃腔の後端区間（銃腔２３）を、薬室形成部２０の前端側に設けている。銃身１０の銃腔１２及び旋条１２ａと薬室形成部２０の銃腔２３及び旋条２３ａとは、前後方向に連続した状態で接続される。ライフル銃では、銃腔１２，２３の略全長に亘って旋条１２ａ，２３ａが設けられるところ、弾１００から発射された直後の弾丸１０３が通過する部分（銃腔１２，２３の後端区間）に設けられたものが最も摩耗しやすい。この点、本実施態様のライフル銃のように、摩耗しやすい後端区間の旋条２３ａを、硬い金属からなる薬室形成部２０に設けることによって、旋条２３ａの摩耗を防止することが可能になる。また、銃身１０側に設けられた旋条１２ａが摩耗しないようにして、銃身１０の寿命を長くすることができる。金属の焼き入れ前であれば、硬い金属からなる薬室形成部２０にも、旋条２３ａが形成された銃腔２３を図２に示す程度の区間長で加工することができる。
【００２５】
薬室形成部２０における旋条２３ａが設けられる区間の長さＬ（図２）の具体的な値は、特に限定されない。しかし、旋条２３ａを設ける区間長Ｌを、薬室形成部２０における旋条２３ａが設けられる部分の内径Ｄ（図２）に対して長くしすぎると、旋条２３ａを加工できなくなる虞がある。このため、区間長Ｌは、内径Ｄ（内径Ｄは、通常、４．５〜１２ｍｍの範囲とされる。）に対する区間長Ｌの比Ｌ／Ｄが４〜６程度となる範囲に抑えると好ましい。ただし、区間長Ｌを短くしすぎると、銃身１０側の旋条１２ａ（特に、後端区間に近い部分の旋条１２ａ）が摩耗しやすくなる虞がある。このため、旋条２３ａを設ける区間長Ｌは、１０ｍｍ以上確保すると好ましい。
【００２６】
ところで、本実施態様のライフル銃は、薬室形成部２０を硬い金属で形成して、薬莢１０１の膨張を抑え込むことで、火薬１０２として爆発力の強いもの（高速燃焼火薬）を大量に使用しても、薬室２１の拡大を防止できるようにするものであるため、薬室形成部２０の薬室２１に込められた弾１００の薬莢１０１の外周部（薬室形成部２０の内面と薬莢１０１の外周面との間）には、隙間が存在しない方が好ましい。この点、本実施態様のライフル銃においては、テーパー状に形成された薬莢１０１の外周面に倣って、薬室形成部２０の内面もテーパー状に形成するとともに、薬室２１に込められた弾１００の後端部を遊底３２で前方に押し込む構造を採用することで、薬室２１に弾１００を込めた状態において、薬室形成部２０の内面と薬莢１０１の外周面とが密着するようにしている。
【符号の説明】
【００２７】
１０    銃身（バレル）
１１    被螺合部
１２    銃腔
１２ａ  旋条
２０    薬室形成部
２１    薬室
２２    螺合部
２３    銃腔
２３ａ  旋条
３０    機関部（レシーバー）
３１    引金（トリガー）
３２    遊底（ボルト）
３３    撃針（ファイアリングピン）
４０    用心金（トリガーガード）
５０    銃把（グリップ）
６０    銃床（ストック）
１００    弾（カートリッジ）
１０１    薬莢（カートリッジケース）
１０２    火薬（パウダー）
１０３    弾丸（ブリット）
１０４    雷管（プライマー）
１０４ａ  カップ
１０４ｂ  起爆薬
１０４ｃ  発火金（アンビル）
【図１】
2018112373.tif 000003
【図２】
2018112373.tif 000004
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
銃身と薬室形成部とが別体とされ、
薬室形成部が、銃身を形成する金属よりも硬い金属で形成されて、
旋条を有する銃腔の後端区間以外の区間が、銃身に設けられ、
旋条を有する銃腔の後端区間が、薬室形成部の前端側に設けられるとともに、
薬室形成部における旋条が設けられる部分の内径Ｄに対する薬室形成部における旋条が設けられる区間の長さＬの比Ｌ／Ｄが４〜６とされた
ことを特徴とするライフル銃。
【請求項２】
薬室形成部と銃身とにおけるロックウェル硬さの差が、１０〜５０ＨＲＣとされた請求項１記載のライフル銃。
【請求項３】
薬室形成部のロックウェル硬さが、３５ＨＲＣ以上とされた請求項１又は２記載のライフル銃。
【請求項４】
銃身のロックウェル硬さが、３０ＨＲＣ以下とされた請求項１〜３いずれか記載のライフル銃。
【請求項５】
薬室形成部における、薬莢の外周面を覆う部分の厚さが、５ｍｍ以上とされた請求項１〜４いずれか記載のライフル銃。